(57)【特許請求の範囲】
【請求項１】
下枠本体およびレール部材を備えて障子を案内する下枠であって、
前記下枠本体は、前記レール部材が配置される凹溝部を備え、
前記レール部材は、板状の水平面部と、前記レール部材の長手方向に沿って延長されて前記障子を案内可能に前記水平面部の上面に形成された突条部と、前記水平面部に形成された調整孔とを備え、
前記調整孔は、前記突条部の外側および内側にそれぞれ形成され、
前記下枠本体の凹溝部には、前記各調整孔の位置に合わせて調整部材が配置され、
前記レール部材の前記水平面部は、前記調整部材の上面に載置され、
前記調整部材は、前記調整孔からの操作で前記下枠本体に対して前記レール部材の高さ位置および傾きを調整可能に構成され、
前記調整孔は、レール部材上の水を排水する排水孔を兼用している
ことを特徴とする下枠。
【請求項２】
前記下枠本体の凹溝部は、底面部と、底面部の室外側に形成された室外側壁部と、底面部の室内側に形成された室内側壁部とを備えて構成され、
前記調整部材は、前記底面部に対してねじ込まれた調整ねじで構成され、
前記調整孔は、前記調整ねじの頭部の直径よりも幅寸法が小さく、かつ、長さ寸法がこの幅寸法よりも大きい長孔で構成され、前記調整ねじの頭部の溝が前記調整孔に露出している
ことを特徴とする請求項１に記載の下枠。
【請求項３】
前記下枠本体とレール部材とは異なる材質の部材で構成され、
前記下枠本体は、前記レール部材に比べて溶融温度が高い部材で構成されている
ことを特徴とする請求項１または請求項２に記載の下枠。
【請求項４】
前記レール部材は、前記水平面部の室外側または室内側の一方の端縁から上方に立ち上がる立上り部を少なくとも備える
ことを特徴とする請求項１から請求項３のいずれかに記載の下枠。
【請求項５】
請求項１から請求項４のいずれかに記載の下枠と、上枠と、左右の縦枠とで構成された建具枠と、
前記建具枠の上下枠に沿って移動して開閉される一対の突合せ障子とを備えた建具であって、
前記調整孔は、前記障子を閉めた際の突合せ部に合わせて少なくとも４つ設けられ、
前記少なくとも４つの調整孔は、前記凸上部の外側および内側にそれぞれ形成されているとともに、前記障子を閉めた際の突合せ位置から前記レール部材の長手方向の一方側と他方側とに離れた位置にそれぞれ形成され、
前記調整部材は、前記調整孔の位置に合わせて前記障子を閉めた際の突合せ部に少なくとも４つ設けられている
ことを特徴とする建具。
【請求項６】
前記一方の突合せ障子の突合せ部には凹部が形成され、他方の突合せ障子の突合せ部には凸部が形成され、前記障子を閉めた際に前記凹部内に凸部が挿入される
ことを特徴とする請求項５に記載の建具。
【請求項７】
前記障子は、外側パネルおよび内側パネルで構成され、
前記各パネルは鋼板で構成され、内側パネルの厚さ寸法は外側パネルの厚さ寸法よりも大きくされ、
前記内側パネルの幅方向の両端縁はコ字状に折曲され、内側パネル表面に対して直交する縦框部と、縦框部に対して直交するパネル受け部とを備え、
前記外側パネルは、内側パネルのパネル受け部に固定されている
ことを特徴とする請求項５または請求項６に記載の建具。
【請求項８】
前記下枠は、建具が取り付けられる建物の壁側に開口された開口部を備え、
建物の壁には、前記下枠の開口部内に挿入されて下枠を支持可能な先付けブラケットが
固定されている
ことを特徴とする請求項５から請求項７のいずれかに記載の建具。
【発明の詳細な説明】
【技術分野】
【０００１】
本発明は、レールを有する下枠と、この下枠を有する建具に関する。
【背景技術】
【０００２】
障子を案内するレールを有する下枠として、支持部材と、レールが形成された引戸受材との２つの部材に分けて構成したものが知られている（特許文献１の図３参照）。
特許文献１では、引戸受材に形成したネジ孔に、高さ調整ネジをねじ込み、引戸受材の高さ調整を行っていた。ここで、高さ調整ネジは、全長にわたって同径でかつ全長にネジ山が切削されている。そして、高さ調整ネジの上端面は、前記ネジ孔の上面よりも下方に位置するように、高さ調整ネジはネジ孔内に挿入されている。
【先行技術文献】
【特許文献】
【０００３】
【特許文献１】特開平７−１７３９６５号公報
【発明の概要】
【発明が解決しようとする課題】
【０００４】
しかしながら、特許文献１では、レールが形成された引戸受材の上面に雨水などが入り込んだ場合、その水を排水する構成が無い。特に、ネジ孔内に高さ調整ネジが埋没しているので、ネジ孔部分に水が溜まってしまい、この水を排水することができないという不都合がある。
また、特許文献１では、引戸受材の高さを低くした場合、高さ調整ネジの頭部が引戸受材の上面から突出するという不都合がある。高さ調整ネジが突出すると、戸車に干渉して障子の移動を阻害したり、戸車を傷つけてしまうことになる。
【０００５】
本発明の目的は、レールの高さ調整を容易に行うことができ、レール上に入り込んだ水を容易に排水でき、調整部材がレール上に突出しない下枠および建具を提供することにある。
【課題を解決するための手段】
【０００６】
本発明の下枠は、下枠本体およびレール部材を備えて障子を案内する下枠であって、前記下枠本体は、前記レール部材が配置される凹溝部を備え、前記レール部材は、板状の水平面部と、前記レール部材の長手方向に沿って延長されて前記障子を案内可能に前記水平面部の上面に形成された突条部と、前記水平面部に形成された調整孔とを備え、前記調整孔は、前記突条部の外側および内側にそれぞれ形成され、前記下枠本体の凹溝部には、前記各調整孔の位置に合わせて調整部材が配置され、前記レール部材の前記水平面部は、前記調整部材の上面に載置され、前記調整部材は、前記調整孔からの操作で前記下枠本体に対して前記レール部材の高さ位置および傾きを調整可能に構成され、前記調整孔は、レール部材上の水を排水する排水孔を兼用していることを特徴とする。
【０００７】
以上の本発明によれば、レール部材は、前記下枠本体の凹溝部内に配置され、前記調整部材の上面に載置される。このため、レール部材は、凹溝部にガイドされているだけであり、ねじ等で固定されていないため、障子を取り外せば、下枠本体から容易に取り外したり、取り付けることができる。このため、障子の種類などに応じて、レールを交換しなければならない場合や、レールが破損したなどで新しいレールに交換する場合に、レール部材を容易に交換できる。
また、レール部材は調整部材の上面に載置されているので、調整部材の高さ位置を調整することで適切な高さに調整できる。特に、本発明では、調整孔の位置に合わせて調整部材を配置し、調整孔からたとえばドライバーなどを用いて操作することで調整部材の高さ位置を調整できるため、各調整部材の高さ位置を容易に調整できる。その上、調整部材を突条部の内側および外側にそれぞれ設けているので、レール部材の傾きも調整できる。このため、レール部材上に障子を正しい向きで配置できる。なお、突条部の外側とは障子の外側つまり障子が室内外を区画する場合には室外側を意味し、内側とは障子の内側つまり室内側を意味する。
さらに、調整部材の高さ位置調整を調整孔からの操作で実行できるため、障子を取り外すことなくレール部材の高さ位置の調整作業を行うことができる。このため、障子の建て付けが悪くなっても、障子を外すことなく容易に調整できる。
その上、本発明では、調整孔は調整部材の高さ位置調整用だけでなく、排水孔を兼務しているので、レール部材上に入り込んだ水を調整孔から下枠本体の凹溝部に排出できる。下枠本体では、たとえばレール部材の長手方向の両端部に排水孔を形成しておくことで、建具の外部に排水できる。このため、ねじ穴に水が溜まって排水できなくなる問題を防止できる。
また、調整部材上にレール部材が載置されるため、調整部材がレール部材の上面から突出することがない。このため、調整部材が障子の移動を阻害することを防止でき、障子を常にスムーズに移動できる。
【０００８】
この際、本発明の下枠では、前記下枠本体の凹溝部は、底面部と、底面部の室外側に形成された室外側壁部と、底面部の室内側に形成された室内側壁部とを備えて構成され、前記調整部材は、前記底面部に対してねじ込まれた調整ねじで構成され、前記調整孔は、前記調整ねじの頭部の直径よりも幅寸法が小さく、かつ、長さ寸法がこの幅寸法よりも大きい長孔で構成され、前記調整ねじの頭部の溝が前記調整孔に露出していることが好ましい。
【０００９】
調整部材を下枠本体の底面部にねじ込まれた調整ねじで構成すれば、調整ねじの頭部に形成された十字溝などにドライバーを差し込んで回すだけで、調整ねじの高さ位置を容易に調整できる。また、調整部材を調整ねじで構成すれば、調整部材の構成をシンプルにでき、コストも安価にできる。
さらに、調整孔を長孔で構成すれば、長孔の長さ寸法を、例えば調整ねじの頭部の直径以上とするだけで、ねじ頭部と調整孔間に隙間を形成できる。このため、調整孔を排水孔として兼用させるための構成もシンプルにでき、コストも安価にできる。
【００１０】
また、本発明の下枠では、前記下枠本体とレール部材とは異なる材質の部材で構成され、前記下枠本体は、前記レール部材に比べて溶融温度が高い部材で構成されていることが好ましい。
たとえば、下枠本体をスチール材で構成し、レール部材をアルミ材で構成すればよい。このように構成すれば、火災によりアルミ製のレール部材が損傷しても、レール部材よりも溶融温度が高い下枠本体が残っているので、障子は下枠本体の凹溝部で支持される。このため、火災時に障子が脱落してしまうことを防止できる。
一方、レール部材をアルミ材などで構成すれば、断面形状が複雑なレール部材を、スチール材で構成する場合に比べて容易に製造できる。
【００１１】
また、本発明の下枠では、前記レール部材は、前記水平面部の室外側または室内側の一方の端縁から上方に立ち上がる立上り部とを少なくとも備え、前記水平面部の上面に前記突条部が形成されていることが好ましい。
レール部材として、板状の水平面部と、立上り部とを備えていれば、断面略Ｌ字状などに形成できる。このため、レール部材を水平面部のみで構成した場合に比べて、レール部材の剛性を高めることができる。
なお、レール部材としては、水平面部の室内外の各端縁から立上り部を設けて、断面略コ字状に形成してもよい。さらに、立上り部の下端側を前記水平面部よりも下側まで突出させてもよい。
【００１２】
本発明の建具は、前述の下枠と、上枠と、左右の縦枠とで構成された建具枠と、前記建具枠の上下枠に沿って移動して開閉される一対の突合せ障子とを備えた建具であって、前記調整孔は、前記障子を閉めた際の突合せ部に合わせて少なくとも４つ設けられ、前記少なくとも４つの調整孔は、前記凸上部の外側および内側にそれぞれ形成されているとともに、前記障子を閉めた際の突合せ位置から前記レール部材の長手方向の一方側と他方側とに離れた位置にそれぞれ形成され、前記調整部材は、前記調整孔の位置に合わせて前記障子を閉めた際の突合せ部に少なくとも４つ設けられていることが好ましい。
本発明によれば、調整部材が、少なくとも障子の突合せ部に設けられているため、互いに突き合わされる障子同士が障子の移動方向（見付け方向）に傾いたり、障子の室内外方向（見込み方向）に傾くことを直すことができる。このため、障子の突合せ部に隙間が生じることを防止でき、水密性能や防火性能が低下することを防止できる。
【００１３】
本発明の建具では、前記一方の突合せ障子の突合せ部には凹部が形成され、他方の突合せ障子の突合せ部には凸部が形成され、前記障子を閉めた際に前記凹部内に凸部が挿入されることが好ましい。
本発明によれば、障子の突合せ部を凹凸嵌合構造としたので、火災時に障子が反っても突合せ部に隙間が生じることがなく、防火性を確保できる。
【００１４】
本発明の建具では、前記障子は、外側パネルおよび内側パネルで構成され、前記各パネルは鋼板で構成され、内側パネルの厚さ寸法は外側パネルの厚さ寸法よりも大きくされ、前記内側パネルの幅方向の両端縁はコ字状に折曲され、内側パネル表面に対して直交する縦框部と、縦框部に対して直交するパネル受け部とを備え、前記外側パネルは、内側パネルのパネル受け部に固定されていることが好ましい。
本発明によれば、内側パネルの厚さ寸法を外側パネルよりも大きくしているので、障子に必要な剛性が内側パネルのみで得られるように構成できる。このため、別途、縦骨を設けてパネルに固定する必要が無く、障子の製造も容易になる。
その上、内側パネルは両端縁をコ字状に折曲するだけでよく、その製造も容易に行うことができる。さらに、内側パネルに外側パネルを固定するパネル受け部が一体に構成されているので、内側パネルおよび外側パネルの固定も容易に行うことができる。
また、外側パネルは内側パネルよりも厚さ寸法が小さいため、意匠性を高めるための溝などを容易に加工できる。このため、外観のデザイン性の高い障子とすることができる。
【００１５】
本発明の建具では、前記下枠は、建具が取り付けられる建物の壁側に開口された開口部を備え、建物の壁には、前記下枠の開口部内に挿入されて下枠を支持可能な先付けブラケットが固定されていることが好ましい。
本発明によれば、建物の壁に固定された先付けブラケットに、下枠の開口部を差し込んで支持させることができるので、建具枠を壁に仮固定することができる。このため、建具枠を壁に固定ねじなどで固定する作業時に、取付作業性を向上できる。さらに、先付けブラケットが下枠内に納まっているので、下枠の強度を向上できる。特に、障子の重量の一部を先付けブラケットでも支持できるため、下枠が障子の荷重で垂れることもなく、障子の支持強度も向上できる。
【図面の簡単な説明】
【００１６】
【図１】本発明の建具である防火戸を開いた状態を示す正面図である。
【図２】前記防火戸を閉めた状態を示す正面図である。
【図３】建物の窓および防火戸を示す縦断面図である。
【図４】建物の窓および防火戸を示す横断面図である。
【図５】前記防火戸の建具枠および先付けブラケットを示す斜視図である。
【図６】前記防火戸の下枠を示す縦断面図である。
【図７】前記下枠の要部を示す縦断面図である。
【図８】前記下枠の外レール部材の要部を示す斜視図である。
【図９】前記下枠の外レール部材の要部を示す平面図である。
【図１０】前記防火戸の内障子を示す横断面図である。
【図１１】前記防火戸の外障子を示す横断面図である。
【図１２】前記外障子の召合せ部を示す横断面図である。
【図１３】変形例の防火戸を示す縦断面図である。
【発明を実施するための形態】
【００１７】
以下、本発明の実施形態を図面に基づいて説明する。
図１〜５に示すように、本実施形態に係る建具は、建物の外壁１の開口部に設置される窓２の屋外側に設けられる防火戸１０である。
窓２は、建物の開口部に固定される窓枠３と、窓枠３に支持される一対の障子４と、一対の障子４よりも屋外側にて窓枠３に支持される網戸５とを備えた一般的な引き違い窓である。なお、図１では網戸５を省略している。
【００１８】
防火戸１０は、前記窓２の室外側に配置される。この防火戸１０は、所定の耐火性能を確保するとともに、シャッターや雨戸と同様に強風時の飛来物によって窓２のガラスが破損することを防止できる。
この防火戸１０は、建物の外壁１に固定される建具枠２０と、この建具枠２０に支持される四枚建ての障子とを備える。障子としては、防火戸１０の見付け方向中央部で互いに突き合わされる２枚の外障子（突合せ障子）４１と、外障子４１の内側に配置される２枚の内障子４２とで構成される。
【００１９】
建具枠２０は、図５にも示すように、スチール製の上枠２１、下枠２２および左右の縦枠２３を枠組みして構成されている。縦枠２３は、上枠２１、下枠２２の両端部から所定寸法内側の位置で上枠２１、下枠２２間に配置されている。すなわち、上枠２１および下枠２２の両端側は、縦枠２３よりも所定寸法突出している。この縦枠２３から上枠２１、下枠２２の両端部分までの見付け寸法は、後述するように、防火戸１０を開いた際に各障子４１，４２が納まる寸法とされている。
また、上枠２１、下枠２２と、縦枠２３は、図３，４に示すように、Ｌ形ブラケット２４にそれぞれボルト止めされて連結されている。すなわち、Ｌ形ブラケット２４の垂直面部に縦枠２３がねじ止めされている。このねじの先端には袋ナットが取り付けられている。また、Ｌ形ブラケット２４の水平面部は縦枠２３の上下両端に形成された切欠に配置され、この水平面部に裏板を用いて上枠２１、下枠２２がねじ止めされている。
【００２０】
［下枠の構成］
下枠２２は、図６にも示すように、下枠本体２２０と、レール部材３１，３２とを備えて構成されている。
下枠本体２２０は、主に２枚のスチール板２２１、２２２によって構成されている。スチール板２２１、２２２は、厚さ寸法がt0.8〜t1.5の鋼板であり、防火設備（防火戸）として求められる構造規定を満たすものである。
スチール板２２１は、外壁１に固定される固定部２２１Ａと、この固定部２２１Ａから水平方向に折曲されて下枠２２の下面を構成する平面部２２１Ｂと、この平面部２２１Ｂの室外側端縁から上側に折曲され、さらに上端側で折り返された外面部２２１Ｃとを備えている。
スチール板２２２は、外壁１に固定される固定部２２２Ａと、この固定部２２２Ａから水平方向に折曲されて下枠２２の上面を構成する平面部２２２Ｂと、この平面部２２２Ｂの室外側端縁から垂直方向下側に折曲された垂直壁部２２２Ｃと、垂直壁部２２２Ｃの下端から水平方向室外側に折曲された底面部２２２Ｄと、底面部２２２Ｄの室外側端縁から垂直方向下側に折曲された外面部２２２Ｅと、外面部２２２Ｅの下端から室内側に折曲された固定部２２２Ｆとを備えている。
【００２１】
そして、スチール板２２１，２２２は、外面部２２１Ｃに外面部２２２Ｅを当接させた状態で、平面部２２１Ｂの上に固定部２２２Ｆを載置し、平面部２２１Ｂおよび固定部２２２Ｆを貫通して裏板２２３にねじ込まれた固定ねじ２２４で固定されている。
また、下枠２２の長手方向端面には、図５に示すように、端部キャップ２５が取り付けられている。この端部キャップ２５には、図示しないが平面部２２２Ｂに固定される固定片と、平面部２２１Ｂに固定される固定片を備えている。従って、各スチール板２２１，２２２は、端部キャップ２５を介しても連結されている。
【００２２】
下枠２２は、外壁１側つまり室内側に開口された開口部２２６を備えている。この開口部２２６は、２枚のスチール板２２１，２２２間の空間で構成されており、固定部２２１Ａ，２２２Ａ間に開口されている。
一方、窓２の下側の外壁１には、図５に示すように、平面コ字状の先付けブラケット２６が固定されている。先付けブラケット２６は、スチール板を折り曲げて構成され、外壁１に固定される固定部２６１と、固定部２６１に連続する支持部２６２とを備えている。
下枠２２は、先付けブラケット２６を開口部２２６に挿入した状態で外壁１に固定される。この際、先付けブラケット２６は、支持部２６２が垂直面となる向きに固定されており、下枠２２の支持強度を高めている。
下枠２２は、図６にも示すように、固定部２２１Ａ，２２２Ａに所定間隔で形成された長孔２２７から固定ねじ２７をねじ込むことで外壁１に固定される。なお、固定ねじ２７の頭部はカバー材２７１で被覆されて外部に露出しない。
【００２３】
下枠２２の底面部２２２Ｄには、図７にも示すように、断面Ｌ字状のアングル材２８が固定ねじで取り付けられている。このアングル材２８もスチール材で構成されている。
これにより、下枠２２の上面には、２つの凹溝部２２Ａ，２２Ｂが形成されている。外側の凹溝部２２Ａは、室外側壁部としての外面部２２１Ｃ、底面部２２２Ｄ、室内側壁部としてのアングル材２８で構成される。また、内側の凹溝部２２Ｂは、室外側壁部としてのアングル材２８、底面部２２２Ｄ、室内側壁部としての垂直壁部２２２Ｃで構成される。なお、アングル材２８の両端は、端部キャップ２５まで延長されておらず、端部キャップ２５との間に排水用の隙間が形成されている。
【００２４】
これらの凹溝部２２Ａ，２２Ｂには、障子４１，４２を案内するレール部材３１，３２が配置されている。
レール部材３１は外障子４１を案内する外レール部材であり、レール部材３２は内障子４２を案内する内レール部材である。
外レール部材３１は、凹溝部２２Ａに配置される。外レール部材３１は、断面略コ字状のアルミ形材であり、底面部２２２Ｄに対向する水平面部３１１と、水平面部３１１の室外側端縁から連続する第１の立上り部３１２と、水平面部３１１の室内側端縁に連続する第２の立上り部３１３とを備える。
水平面部３１１の上面には、突条部３１４が形成されている。突条部３１４は、外障子４１の戸車等を案内するレールである。
【００２５】
外レール部材３１の水平面部３１１の所定箇所には、図７，８に示すように、突条部３１４の外側および内側（外障子４１の外側および内側）に、調整孔３１５がそれぞれ形成されている。本実施形態では、少なくとも、外障子４１を閉めた際の突合せ位置から左右方向（外レール部材３１の長手方向）に、それぞれ６０mm離れた位置に形成されている。すなわち、外障子４１の突合せ部に合わせて、少なくとも４つの調整孔３１５が形成されている。
調整孔３１５は、図９にも示すように、外レール部材３１の長手方向に延長された長孔であり、水平面部３１１を貫通して形成されている。
【００２６】
調整孔３１５の位置に合わせて、調整部材である調整ねじ３３が設けられている。調整ねじ３３は、頭部の表面が球面状に湾曲されて十字溝が形成された一般的なねじである。
この調整ねじ３３の頭部の直径は、前記調整孔３１５の長手方向の寸法以下であり、かつ、長手方向に直交する幅寸法よりも大きく設定されている。従って、調整ねじ３３の頭部は、十字穴が形成された頂部側が前記調整孔３１５に係合するとともに、調整孔３１５の長手方向の両端部側では、調整ねじ３３との間に隙間が形成されている。このため、調整孔３１５に水が入り込んだ場合、その水は前記隙間を通して凹溝部２２Ａの底面部２２２Ｄ上に流れる。凹溝部２２Ａの長手方向（見付け方向）の両端部には、凹溝部２２Ａ内の水を下枠２２の外部に排水する図示略の排水孔があり、前記調整孔３１５から凹溝部２２Ａに流れ込んだ水は排水孔から下枠２２の外部に排水される。
なお、水平面部３１１には、前記調整孔３１５に連通するＶ溝が形成され、水平面部３１１上に入った水をスムーズに調整孔３１５に流すことができる。
【００２７】
前記調整ねじ３３は、底面部２２２Ｄを貫通し、底面部２２２Ｄの裏面に取り付けられた裏板３４にねじ込まれている。この裏板３４は、固定用のねじ３４１で底面部２２２Ｄに固定されている。
調整ねじ３３の十字溝は、前記調整孔３１５に露出している。このため、調整ねじ３３は、図８に示すように、ドライバー３５で回すことで、高さ位置を調整できる。この調整ねじ３３の高さ位置を調整すれば、調整ねじ３３に載置されている外レール部材３１の高さ位置も調整できる。すなわち、室内外の各調整ねじ３３の高さを調整することで、外レール部材３１の室内外方向の傾きを調整できる。また、外障子４１の突合せ部を挟んで設けられた各調整ねじ３３の高さを調整することで、外レール部材３１の長手方向の傾きを調整できる。これにより、後述するように、外障子４１を正しく立てることができ、外障子４１の突合せ部分に隙間が生じることを防止できる。
【００２８】
なお、外レール部材３１の各立上り部３１２，３１３は、水平面部３１１から下方にも延長されており、外レール部材３１を底面部２２２Ｄに載置した際に、水平面部３１１および底面部２２２Ｄ間に所定寸法の隙間が形成される。この隙間に、前記各調整ねじ３３、固定用のねじ３４１の頭部が配置されている。このため、調整ねじ３３を最も低い位置に設定した場合でも、前記水平面部３１１および底面部２２２Ｄ間に隙間が形成されることになる。
【００２９】
内レール部材３２は、凹溝部２２Ｂに配置される。内レール部材３２は、断面略コ字状のアルミ形材であり、底面部２２２Ｄに対向する水平面部３２１と、水平面部３２１の室外側端縁から連続する第１の立上り部３２２と、水平面部３２１の室内側端縁に連続する第２の立上り部３２３とを備える。
水平面部３２１の上面には、突条部３２４が形成されている。突条部３２４は、内障子４２の戸車等を案内するレールである。
立上り部３２２はアングル材２８に沿って配置される。立上り部３２２の上端には、室外側に延長されて前記外レール部材３１に当接するカバー部３２５が形成されている。
【００３０】
［上枠の構成］
上枠２１は、図３に示すように、２枚のスチール板２１１、２１２によって構成されている。スチール板２１１、２１２は、厚さ寸法がt0.8〜t1.5の鋼板であり、防火設備として求められる構造規定を満たすものである。
スチール板２１１は、上枠２１の上面を構成するとともに、前記スチール板２１２との間に外障子４１の上端部を案内する凹溝部２１Ａを構成している。
スチール板２１２は、上枠２１の下面を構成するとともに、凹溝状に折曲されて内障子４２の上端部を案内する凹溝部２１Ｂを構成している。
これらのスチール板２１１，２１２は、凹溝部２１Ｂ部分で上下に重なっており、この部分で固定ねじを用いて互いに固定されている。
【００３１】
上枠２１の長手方向の端面には、図５に示すように、下枠２２と同様の端部キャップ２５が取り付けられ、スチール板２１１，２１２はこの端部キャップ２５によっても連結されている。
また、上枠２１は、図３に示すように、スチール板２１１に所定間隔で形成された長孔２１７から固定ねじ２７をねじ込むことで外壁１に固定される。固定ねじ２７の頭部はカバー材２７１で被覆されている。
【００３２】
［縦枠の構成］
縦枠２３は、図４、５にも示すように、断面略コ字状のスチール材で構成されている。縦枠２３は、厚さ寸法がt0.8〜t1.5の鋼板であり、防火設備として求められる構造規定を満たすものである。
この縦枠２３は、外壁１に固定される固定部２３Ａと、固定部２３Ａから直交方向に折曲されて見込み方向に延びる縦枠本体部２３Ｂと、縦枠本体部２３Ｂの室外側端部から折曲された係合部２３Ｃとを備える。
固定部２３Ａの見付け寸法は、係合部２３Ｃよりも長くされており、固定部２３Ａから固定ねじ２７をねじ込むことで、縦枠２３は外壁１に固定されている。
【００３３】
［障子の構成］
次に、障子の構成について説明する。障子は、２枚の外障子４１および２枚の内障子４２からなる四枚建ての障子である。
各障子４１，４２は、図１０、１１に示すように、スチール製（鋼板製）の外側パネル４３および内側パネル４４で構成されている。内側パネル４４の厚さ寸法は、防火設備としての構造規定を満たす厚さ寸法に設定されている。一方、外側パネル４３の厚さ寸法は、構造規定を満たす必要がないため、加工性や意匠性を重視した厚さ寸法とされている。このため、内側パネル４４の厚さ寸法は、外側パネル４３の厚さ寸法よりも大きくされている。たとえば、内側パネル４４の厚さ寸法は防火設備として構造規定にあるt0.8〜t1.5の範囲で設定され、たとえば本実施形態では厚さ寸法が１．０mmである。一方、外側パネル４３の厚さ寸法は０．４mmである。
内側パネル４４の幅方向の両端縁はコ字状に折曲され、内側パネル４４の平面部４４１に対して直交する縦框部４４２と、縦框部４４２に対して直交するパネル受け部４４３とを備える。内側パネル４４は、厚さ寸法が大きいため、この内側パネル４４を折曲して構成した縦框部４４２を縦骨とすることができ、障子４１，４２として必要な剛性を確保している。このため、縦骨を内側パネル４４に一体化でき、別途、縦骨を設ける必要がない。
また、図３に示すように、内側パネル４４の上部および下部には、鋼板製の上骨４５、下骨４６が内側パネル４４に固定されている。さらに、内側パネル４４の幅寸法が大きくなった場合など、必要に応じて、内側パネル４４の幅方向の中央部などに中骨４７が配置される。これらの上骨４５、下骨４６、中骨４７も、厚さ寸法は内側パネル４４と同様の寸法のスチール材であり、骨材として必要な剛性を確保している。
【００３４】
下骨４６には、図３，６に示すように、レール部材３１，３２の突条部３１４，３２４上を移動する戸車４８が取り付けられている。戸車４８は、ステンレス製の一般的な戸車であるため、説明を省略し、図面においても概略で示している。なお、戸車４８の代わりに、摺動金具の表面にフッ素樹脂シートを接着して突条部３１４，３２４上を摺動可能に構成したものを利用してもよい。
【００３５】
外側パネル４３は、内側パネル４４よりも薄い鋼板で構成され、内側パネル４４のパネル受け部４４３にリベットで固定されている。外側パネル４３は、障子４１，４２の意匠性を高めるために溝付きの木彫鋼板とされている。
なお、本実施形態では上記構成としたが、逆に、外側パネル４３を防火設備としての構造規定を満たす厚さ寸法の鋼板として両端縁をコ字状に折曲し、内側パネル４４を加工性や意匠性を重視して厚さ寸法が小さい鋼板で構成してもよい。
【００３６】
内障子４２は、図４，１０に示すように、外障子４１、内障子４２を閉めた際に、建具枠２０の縦枠２３に係合する補強材５１と、外障子４１に係合する補強材５２とを備えている。これらの補強材５１，５２は、断面Ｌ字状に折曲された厚さ寸法がt1.0の鋼板で構成されている。
これらの補強材５１，５２の表面は、カバー材５１１，５２１で覆われている。この補強材５１，５２およびカバー材５１１，５２１は、内側パネル４４にリベットで固定されている。
カバー材５１１，５２１は、外側パネル４３と同じ鋼板で形成され、外側パネル４３を固定するリベットなどを被覆している。
【００３７】
外障子４１は、図４，１１に示すように、内障子４２の補強材５２に係合する補強材５５およびカバー材５５１を備えている。この補強材５５、カバー材５５１は、内障子４２の補強材５１、カバー材５１１と同じ部材である。
一方、外障子４１の突合せ部は、図１２に示すように、一方の外障子４１に凸部を形成する補強材５６を設け、他方の外障子４１に凹部を形成する補強材５７を設け、これらの凸部および凹部が嵌合するように構成している。
【００３８】
すなわち、一方の外障子４１の突合せ部側の縦框部４４２には、外側パネル４３の固定部をカバーするカバー材５４１と、内側パネル４４の突合せ部側の端部をカバーするカバー材５４２とが固定されている。
さらに、内側パネル４４の縦框部４４２には、断面コ字状に折曲されたスチール製の補強材５６が固定ねじ５６２で固定され、補強材５６はカバー材５６１で被覆されている。
【００３９】
他方の外障子４１の突合せ部側の縦框部４４２には、断面コ字状に折曲されたスチール製の補強材５７およびこの補強材５７の表面を被覆するカバー材５７１が、開口側が一方の外障子４１側に向く方向に設けられてリベットで固定されている。
従って、外障子４１を閉めて突合せた際に、凹部となる補強材５７の開口内に、凸部となる補強材５６が挿入して配置される。このため、外障子４１の突合せ部は、外障子４１の外観側から内観側につながる空間が、ジグザク状の迷路形状となる。このため、火災等で外障子４１に熱が加わって反っても、補強材５６が補強材５７から外れることがなく、各外障子４１間に貫通口が発生することがない。このため、防火性能を確保できる。
なお、外障子４１と内障子４２の召合せ部も前記補強材５２，５５が煙返しとなり、内障子４２と縦枠２３の召合せ部も前記補強材５１や係合部２３Ｃが煙返しとなり、障子４１，４２の外観側から内観側につながる空間がジグザク状の迷路形状となる。このため、これらの召合せ部にも貫通口が発生せず、防火性能を確保できる。
【００４０】
なお、２枚の外障子４１間の突合せ部と、外障子４１および内障子４２の召合せ部と、内障子４２の縦枠２３に係合する係合部には、それぞれ熱膨張耐火材６０が貼られている。この熱膨張耐火材６０は、熱が加わると膨張する耐火材である。火災時には、熱膨張耐火材６０が膨張し、各外障子４１、内障子４２間の隙間などを塞ぐことで、防火戸１０は必要な防火性能を確保できる。
【００４１】
外障子４１の突合せ側の縦框部４４２の高さ方向の略中央部には、図１２に示すように、錠６１および錠受６２がそれぞれ取り付けられている。一方の外障子４１に設けられた錠６１は、錠を操作することで鎌状のデッドボルト６１１が出没する。他方の外障子４１に設けられた錠受６２は、前記デッドボルト６１１が挿入される受穴６２１が形成されている。
この錠６１を閉めることで、各外障子４１は互いに離れる方向に移動できないように拘束される。また、デッドボルト６１１が受穴６２１に挿入されているため、各外障子４１は互いに防火戸１０の外観側や内観側に移動できないように拘束されている。
【００４２】
外障子４１の内側パネル４４には、図４，１１に示すように、ピース状のアングル材６５が取り付けられている。このアングル材６５は、外障子４１を所定位置まで開いた際に内障子４２に取り付けられた当接材６６に当接し、内障子４２を外障子４１とともに移動するために用いられる。この当接材６６は、内側パネル４４よりも内観側に突出しており、縦枠２３に当接可能とされている。
【００４３】
［防火戸の開閉操作］
外障子４１を開いた場合には、最初は外障子４１のみが移動し、アングル材６５が当接材６６に当接すると、外障子４１の移動に連動して内障子４２も移動する。そして、当接材６６が縦枠２３に当接すると、外障子４１および内障子４２は停止する。この停止位置が障子４１，４２の全開位置であり、この際、外障子４１および内障子４２は内外方向に重なって配置される。また、この全開位置は、窓２のガラス部分が完全に露出する位置とされ、室内からの眺めを遮ることがないようにされている。
一方、外障子４１を全開位置から閉めると、最初は外障子４１のみが移動し、外障子４１の召合せ部の補強材５７が、内障子４２の召合せ部の補強材５６に係合すると、外障子４１の移動に連動して内障子４２も移動する。そして、内障子４２の戸先側の補強材が縦枠２３に当接すると、外障子４１および内障子４２は停止する。この停止位置が障子４１，４２の全閉位置である。
【００４４】
このような本実施形態によれば、以下のような効果を得ることができる。
下枠２２を、下枠本体２２０およびレール部材３１，３２で構成し、外レール部材３１は、下枠本体２２０の凹溝部２２Ａ内に配置され、調整ねじ３３の上面に載置される。このため、外レール部材３１は、凹溝部２２Ａにガイドされているだけであり、ねじ等で下枠本体２２０に固定されていない。このため、外障子４１を取り外せば、下枠本体２２０に対して容易に着脱できる。
さらに、内レール部材３２も凹溝部２２Ｂ内に載置されるだけであるため、内レール部材３２も容易に着脱できる。
従って、障子の種類などに応じてレール部材３１，３２を交換しなければならない場合や、レール部材３１，３２が破損した場合に、レール部材３１，３２を容易に交換できる。さらに、レール部材３１，３２を取り外して凹溝部２２Ａ、２２Ｂを容易に清掃することができる。
【００４５】
外レール部材３１は調整ねじ３３の上面に載置されているので、調整ねじ３３の高さ位置を調整することで適切な高さに調整できる。この際、調整ねじ３３を調整孔３１５の位置に合わせて配置しているので、調整孔３１５からドライバー３５を用いて操作することで調整ねじ３３の高さ位置を調整できる。このため、外障子４１を取り外すことなく外レール部材３１の高さ位置の調整作業を行うことができる。従って、障子の建て付けが悪くなっても、障子を外すことなく容易に調整でき、メンテナンス性を向上できる。
また、調整ねじ３３を突条部３１４の内側および外側にそれぞれ設けているので、外レール部材３１の傾きも調整できる。このため、外レール部材３１上に外障子４１を正しく立てることができる。
さらに、調整ねじ３３が、外障子４１の突合せ部に設けられているため、互いに突き合わされる外障子４１同士が見付け方向に傾いたり、見込み方向に傾くことを直すことができる。このため、外障子４１の突合せ部に隙間が生じることを防止でき、水密性能や防火性能が低下することを防止できる。
【００４６】
調整孔３１５は調整ねじ３３の高さ位置調整用だけでなく、排水孔を兼ねているので、外レール部材３１上に入り込んだ水を調整孔３１５から凹溝部２２Ａに排出でき、凹溝部２２Ａから下枠２２の外部に排水できる。このため、ねじ穴に水が溜まって排水できなくなる問題を防止できる。
また、外レール部材３１の立上り部３１２，３１３は、水平面部３１１よりも下方に突出しているので、調整ねじ３３を最も低い位置に調整した場合でも、水平面部３１１および底面部２２２Ｄ間に隙間を確保でき、排水性が低下することを防止できる。
その上、調整ねじ３３上にレール部材３１，３２が載置されるため、調整ねじ３３はレール部材３１，３２の上面から突出しない。このため、調整ねじ３３が障子４１の移動を阻害することを防止でき、障子４１をスムーズに移動できる。
【００４７】
調整部材を調整ねじ３３で構成し、調整孔３１５を長孔で構成しているので、ねじ頭部と調整孔３１５間に排水用の隙間を確実に形成できる。本実施形態では、調整ねじ３３の頭部が球面状とされているので、調整孔３１５の長手方向の寸法を幅寸法よりも大きくすれば、調整孔３１５の長手方向の両端部側に調整ねじ３３との隙間を形成できる。特に、調整孔３１５の長さ寸法を調整ねじ３３の頭部の直径以上とすれば、ねじ頭部と調整孔３１５間に排水用の隙間を確実に形成できる。このため、調整孔３１５を排水孔に兼用させるための構成もシンプルにでき、コストも安価にできる。
また、調整ねじ３３をドライバー３５で回すだけで高さ調整が行えるので、調整部材の構成も簡易にでき、コストをより低減できる。その上、調整ねじ３３はドライバー３５による回転数によってその高さを微調整できるため、外レール部材３１の高さ位置も微妙に調整でき、調整作業性も向上できる。
【００４８】
下枠本体２２０をスチール材で構成しているので、火災によりアルミ製のレール部材３１，３２が損傷しても、レール部材３１，３２よりも溶融温度が高い下枠本体２２０で障子４１，４２を支持できる。このため、火災時に障子４１，４２が脱落してしまうことを防止できる。
【００４９】
また、レール部材３１，３２をアルミ材で構成しているので、突条部３１４，３２４などを有する断面形状が複雑なレール部材３１，３２を、スチール材で構成する場合に比べて容易に製造できる。
さらに、レール部材３１，３２を断面コ字状に形成しているので、長尺なレール部材３１，３２の剛性を確保できて、レールの歪みや撓みを無くすことができる。さらに、レール部材３１，３２を凹溝部２２Ａ、２２Ｂの室内側壁部や室外側壁部に当接させることができるので、レール部材３１，３２をねじ等で固定していなくても、凹溝部２２Ａ、２２Ｂ内でレール部材３１，３２が移動したり、がたつくことがなく、障子４１，４２を安定して移動することができる。
【００５０】
建具枠２０の上枠２１、下枠本体２２０、縦枠２３と、障子４１，４２の内側パネル４４、補強材５１、５２、５５、５６、５７を防火設備として求められる構造規定を満たす厚さ寸法の鋼板で構成し、さらにこれらの部材の係合部に熱膨張耐火材６０を設けたので、防火ラインを確実に構成でき、防火戸１０として十分な防火性能を確保できる。特に、外障子４１の突合せ部を、補強材５５、５６によって凹凸嵌合構造としたので、火災時に外障子４１が反っても突合せ部に隙間が生じることがなく、防火性を確保できる。
【００５１】
外壁１に先付けブラケット２６を取り付けているので、下枠２２の開口部２２６を差し込んで支持させることができる。このため、建具枠２０を外壁１に仮固定することができ、建具枠２０の取付作業性を向上できる。
また、先付けブラケット２６は下枠２２内に納まるため、外部に露出せず、意匠性も向上できる。
さらに、先付けブラケット２６が下枠２２内に納まっているので、下枠２２の強度を向上できる。特に、障子４１，４２の重量の一部を先付けブラケット２６でも支持できるため、下枠２２が障子４１，４２の荷重で垂れることもなく、障子４１，４２の支持強度も向上できる。
【００５２】
障子４１，４２を、外側パネル４３および内側パネル４４と、上骨４５、下骨４６で構成しているので、縦骨を不要にでき、障子４１，４２の組立性を向上できる。
【００５３】
なお、本発明は、前記実施形態に限定されるものではなく、本発明の目的が達成できる他の構成等を含み、以下に示すような変形等も本発明に含まれる。
例えば、前記実施形態においては、防火戸１０として、四枚建ての障子４１，４２で構成していたが、図１３に示すように、２枚の外障子４１のみで構成した防火戸１０Ａとしてもよい。すなわち、窓２の開口寸法が小さい場合には、２枚の外障子４１のみを有する防火戸１０Ａを設ければよい。この場合、上枠２１、下枠２２には、１つの凹溝部２１Ａ，２２Ａを設ければよい。このため、スチール板２１２、スチール板２２２の形状を、凹溝部２１Ａ，２２Ａが１つ形成されるように設計すればよい。また、窓２の開口寸法が大きい場合には、５枚以上の障子を設けて構成してもよい。
【００５４】
前記実施形態では、外障子４１の突合せ部のみに調整孔３１５、調整ねじ３３からなる高さ調整機構を設けていたが、外レール部材３１に所定間隔で複数の調整孔３１５を形成し、下枠本体２２０側にそれらの調整孔３１５に対応して複数の調整ねじ３３を設けてもよい。この場合、外レール部材３１の全体の高さ位置を自由に調整できる。
また、前記実施形態では、外障子４１のみに高さ調整機構を設けていたが、内障子４２にも設けてもよい。特に、内障子４２と外障子４１や縦枠２３との召合せ部に高さ調整機構を設ければ、召合せ部における各障子間や縦枠との間隔を一定にでき、内障子４２を正しい向きに設置できる。ただし、召合せ部は、見込み方向に障子４１，４２や縦枠２３が重なるため、召合せ部において障子４１，４２が多少傾いていても、耐火性に影響するような隙間が生じるおそれがない。従って、前記実施形態のように、少なくとも外障子４１の突合せ部に高さ調整機構を設ければよい。
【００５５】
レール部材３１，３２は、断面略コ字状に形成されたものに限定されない。例えば、断面Ｌ字状に形成されたものでも良いし、水平面部３１１，３２１のみを備える板状のものでもよい。
また、下枠本体２２０とレール部材３１，３２は、スチール材とアルミ材との異なる材質の部材で構成されていたが、ともにスチール材で構成してもよいし、アルミ材で構成してもよい。例えば、耐火性を求められない建具の場合には、下枠本体２２０およびレール部材３１，３２をアルミ製としてもよい。これらの構成でも、レール部材３１，３２を容易に交換できる利点がある。
【００５６】
レール部材３１，３２の高さを調整する調整部材としては、調整孔３１５からの操作で高さ調整できるものであれば、前記調整ねじ３３に限定されない。また、調整ねじ３３としても前記実施形態で用いたバインドねじに限らず、皿ねじ等でもよく、レール部材３１，３２を載置できてその高さを調整できるものであればよい。
また、前記実施形態では、先付けブラケット２６は、下枠２２を支持する位置に設けていたが、上枠２１の開口部に挿入されて上枠２１を支持する位置に設けてもよい。この場合も、建具枠２０を先付けブラケット２６で仮固定できて作業性を向上でき、かつ、防火戸１０の支持強度も向上できる。
さらに、上枠２１および下枠２２の両方を先付けブラケット２６で支持してもよい。この場合は、防火戸１０の支持強度をより一層向上できる。
【００５７】
障子４１，４２としては、前記鋼板製の外側パネル４３、内側パネル４４で構成されたものに限らない。例えば、スチール製の枠材に耐熱強化ガラスを嵌め込んだ障子を用いてもよい。
さらに、本発明の建具としては、防火戸１０に限らない。例えば、防火性能を有さない雨戸やシャッターとして用いてもよい。さらに、建物の窓２の外側に装着されるものに限らず、建物の開口部に設けられる窓や戸として利用してもよい。すなわち、引き違い窓や引戸に本発明を適用してもよい。
【００５８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００５９】
２…窓、１０、１０Ａ…防火戸、２０…建具枠、２１…上枠、２２…下枠、２２Ａ、２２Ｂ…凹溝部、２３…縦枠、２５…端部キャップ、２６…先付けブラケット、２８…アングル材、３１…外レール部材、３２…内レール部材、３３…調整ねじ、３５…ドライバー、４１…外障子、４２…内障子、４３…外側パネル、４４…内側パネル、４８…戸車、５１、５２、５５、５６、５７…補強材、６０…熱膨張耐火材、６１…錠、６２…錠受、２１１，２１２，２２１，２２２…スチール板、２２０…下枠本体、２２６…開口部、３１１，３２１…水平面部、３１４，３２４…突条部、３１５…調整孔、４４１…平面部、４４２…縦框部、４４３…パネル受け部。
【図１】
0005638478.tif 000002
【図２】
0005638478.tif 000003
【図３】
0005638478.tif 000004
【図４】
0005638478.tif 000005
【図５】
0005638478.tif 000006
【図６】
0005638478.tif 000007
【図７】
0005638478.tif 000008
【図８】
0005638478.tif 000009
【図９】
0005638478.tif 000010
【図１０】
0005638478.tif 000011
【図１１】
0005638478.tif 000012
【図１２】
0005638478.tif 000013
【図１３】
0005638478.tif 000014